Podtech/llm-jp-corpus-v4-ja_patent huggingface dataset:
(57)【要約】      （修正有）【課題】足の不自由な人や老人など日常的に手すりを使用する人達が少しでも安心感を持ち生活が送りたい要望にこたえる手すり。【解決手段】手すり本体１を山状、波状などに形成し、持ち手など組み合わせ、取り付け具２により支持面４に固定する。また、手すり本体１や取り付け具２、持ち手に点灯表示具５や階段灯６、音響装置７を組み合わせる。【選択図】図１
2005133523.tif 000002
【特許請求の範囲】
【請求項１】
基部は波、山状に湾曲した握り手を連続で形成し上下・左右・斜めに任意構成した手すり
【請求項２】
基部は長手方向に伸びた手すりから別握り手を上下・左右・斜めに任意突起構成した手すり
【請求項３】
基部は長手方向番こ伸びた手すりに凹凸握り部を任意形成した手すり
【請求項４】
基部は握り手を螺旋状や、螺旋状に類する形状にした手すり
【請求項５】
握り手を任意間隔で形成した「請求項１」「請求項２」「請求項３」「請求項４」の手すり
【請求項６】
握り手に点灯表示や階段照明灯を設けた構成の「請求項１」「請求項２」「請求項３」「請求項４」「請求項５」の手すり
【請求項７】
握り手部に接近・触手することで点灯・音響が出るように構成した「請求項１」「請求項２」「請求項３」「請求項４」「請求項５」の手すり
【請求項８】
「請求項６」「請求項７」を組み合わせた手すり
【請求項９】
「請求項１」「請求項２」「請求項３」「請求項４」「請求項５」の転落防止柵
【請求項１０】
持ち手の機能を付加した、手すり取り付け具
【請求項１１】
手すりに後付する持ち手
【発明の詳細な説明】
【発明の詳細な説明】
【技術分野】
【０００１】  この発明は階段等や廊下の手すり・持ち手、転落防止柵に関するものである。
【背景技術】
【０００２】  従来の手すりは、使用者が移動する時に
（イ）階段の上りは、「図２」に示すように手は、手すりに容易に届くが、把持部は滑りやすく足送りの補助として上体を引っ張り上げるのにはかなりの握力が必要だった。老人などは引っ張るのを諦め上体の姿勢維持の補助としてしか使えなかった。
（ロ）階段の下りは、「図３」に示すようをに手すりは転落しない保険的役割で、本来求められる下段に降りる時の体の支えや、移動をコントロールするブレーキとしての働きにならなかった。
また把持姿勢は上体が前のめりで恐怖感を与え，把持部は滑りやすく体重を掛け辛かった。
【発明が解決しようとする課題】
【０００３】  本発明は足の不自由な人や老人など日常的に手すりを使用する人達が少しでも安心感を持ち生活が送りたい要望にこたえるために発明されたものである。
【課題を解決するための手段】
【０００４】  その構成を説明する
（１）手すり本体を実施例「図１」に示すように形成し（３）持ち手など組み合わせ（２）取り付け具により（４）支持面に固定する。
また、（１）手すり本体や（２）取り付け具（３）持ち手に（５）点灯表示具や（６）階段灯（７）音響装置をくみあわせる。
【発明を実施するための最良の形態】
【０００５】  次に本発明の実施形態について述べると、まず、手すりの材質は、木、プラスチック、ゴム、繊維、金属など整形出来、強度の確保出来うる物で、後述の実施例「図５」から「図１３」に示すように加工・成型・組み立て・組み合わせをし、強度が得られる様に取り付け具などにより設置する。
「図５」は手すりを山状に形成した実施例
「図６」は手すりを上下波状に形成した実施例
「図７」は手すりを大小の山状に形成し向きを変えて配列した実施例
「図８」は手すりを大小の山状に形成し捻って配列した実施例
「図９」は別握り手を任意突起構成した実施例
「図１０」は手すりに凹凸掴み部を任意形成した実施例
「図１１」は手すりを螺旋状に形成した実施例
「図１２」は持ち手を手すり間に構成した実施例
「図１３」は持ち手の機能を付加した手すり取り付け具と後付持ち手の実施例
手すり本体や持ち手に音響や点灯装置、階段を照らす階段灯やそれらを起動させるセンサーを組み込み、接近・接触センサーにて点灯や音響がする。  また、階段センサーや階段の照明などと連動させる事も出来る。
点灯・音響装置の技術は通常市販されている技術を応用する。
また、日常的に手すり・持ち手として使用しないが、把持し易い機能を保持しつつ転落防止柵や柵に用いる
【発明の効果】
【０００６】  同一設置距離で把持部が長く、立体的に取れる為掴まり易く形状効果によって身長差による使い辛さや、下り階段での前のめりを緩和し恐怖感からも開放される。
「図４」に示すように指が掛かり、力が入るので上体を引っ張り易く、下り階段では手のひらで体重を支えられるので、足送りの助けになる。
これは、特に階段などで足腰の弱った者や老人には有り難く、点灯表示装置や階段照明装置や音響装置を付加すれば、夜間の視認性・確認性や安心感の向上に効果がある
【図面の簡単な説明】
【図１】本発明の斜視図
【図２】従来の手すりの上り階段使用正面図
【図３】従来の手すりの下り階段使用正面図
【図４】本発明の使用上面図
【図５】本発明の他の実施例の斜視図
【図６】本発明の他の実施例の斜視図
【図７】本発明の他の実施例の斜視図
【図８】本発明の他の実施例の斜視図
【図９】本発明の他の実施例の斜視図
【図１０】本発明の他の実施例の斜視図
【図１１】本発明の他の実施例の斜視図
【図１２】本発明の他の実施例の斜視図
【図１３】本発明の他の実施例の斜視図
【符号の説明】
１は手すり本体
２は取り付け具
３は持ち手
４は支持面
５は点灯表示具
６は階段灯
７は音響装置
【図１】
2005133523.tif 000003
【図２】
2005133523.tif 000004
【図３】
2005133523.tif 000005
【図４】
2005133523.tif 000006
【図５】
2005133523.tif 000007
【図６】
2005133523.tif 000008
【図７】
2005133523.tif 000009
【図８】
2005133523.tif 000010
【図９】
2005133523.tif 000011
【図１０】
2005133523.tif 000012
【図１１】
2005133523.tif 000013
【図１２】
2005133523.tif 000014
【図１３】
2005133523.tif 000015
(57)【要約】【課題】風の流れに対して垂直の回転軸を持つ可動翼風車で、平常時（風速３〜４ｍ／秒）の風から多くのエネルギーを得ようとして羽根をいっぱい広げて稼働するように設計すれば、台風等の自然災害時の急激な風速の変化で風車が破損する等の問題点があった。  【解決手段】回転している羽根の一部にスプリングとアームに支持された重りを設け、一定の回転数に達すると遠心力で重りが中心より離れていきスイッチを押すことで回転制御機構が働き、可動している翼をロックさせ回転軸の左右均等に風圧を受けることにより回転を阻害し、また可動翼全体を軸の中心方向に移動させ回転モーメントを小さくし、自動的に風車の回転力を制御することにより安全を確保し破損を防ぐことができる。【選択図】      図１
2005133550.tif 000002
【特許請求の範囲】
【請求項１】
風の流れに対して垂直の回転軸を持つ風車の回転面の半分が閉となり流れを受け止め、他の半分では開となり流れを受け流して回転力を得る構造を持つ風車で、一定以上に回転数が増した時遠心力を利用して中心より外へ向かうアーム上に設けた重りがスイッチとなり、開閉する翼をロックし且つ可動翼の位置を中心に向かって収縮させて回転モーメントを小さくして回転力を制御することを特徴とする風車の制御機構。
【発明の詳細な説明】
【技術分野】
【０００１】
本発明は、風の流れを受け止め回転力に変える風車の制御に関するものである。
【背景技術】
【０００２】
風の流れを利用して発電しようとする場合、これ以上風速が早くなれば危険という限界近くまで風車を回転させてエネルギーを得、限界に達した所でブレーキをかけて風車を止める等の方法がとられるのが一般的であった。
【発明の開示】
【発明が解決しようとする課題】
【０００３】
従来、風の流れに対して垂直の回転軸を持つ風車で、台風等の自然災害時の急激な風速の変化で風車が破損する等の問題点があった。
本発明が解決しようとする課題は、回転している羽根の一部にスプリングとアームに支持された重りを設け、一定の回転数に達すると遠心力で重りが中心より離れていきスイッチを押すことで回転制御機構が働き、可動している翼をロックさせ回転軸の左右均等に風圧を受けることにより回転を阻害し、また可動翼全体を軸の中心方向に移動させ回転モーメントを小さくし、自動的に風車の回転力を制御することにより安全を確保することである。
【課題を解決するための手段】
【０００４】
垂直軸回転羽根の中心部近くにスプリングとアームに支持された重りを設ける。
一定の回転数以上に回転が速くなると遠心力によって重りがアームに沿ってスプリングを押し、制御機構を作動させるスイッチをいれるようセットする。
垂直軸回転羽根の底部にバネ式のフックを設け、制御機構が作動するとフックが出てくるようにセットする。
垂直軸回転羽根の上部と底部に可動翼の取り付け孔があり、当該取り付け孔は回転羽根の内部に敷設したウォームギアと連結し、制御機構の指示で可動翼を回転軸の中心部に向かって収縮させる。
【発明の効果】
【０００５】
以上の様に本発明によれば、台風等の自然災害に対して風の強さと共に風車の回転数は増していき、予めセットされた回転数を超えると遠心力により制御機構が働き可動翼が閉じられて回転を阻害し、風を受けて回転力に変えている可動翼を中心に向かって収縮させ回転モーメントを小さくして風車の回転を自動的に制御することができる。
【発明を実施するための最良の形態】
【０００６】
本発明は、台風等の自然災害に対して風の強さと共に風車の回転数は増していき、予めセットされた回転数を超えると遠心力により制御機構が働き可動翼が閉じられて回転を阻害し、風を受けて回転力に変えている可動翼を中心に向かって収縮させ回転モーメントを小さくして風車の回転を自動的に制御する事を可能にした。
本発明では、風車にとって最大のウイークポイントである台風等の自然災害からどうやって本体を破損から守り、且つ平常時に少ない風からいかに多くのエネルギーを得て発電等の仕事に利用するか二律背反の課題を克服する事ができる。
【実施例】
【０００７】
以下、本発明の実施例を図面に基づいて説明する。  山間部等の通常風が強いといわれている所に垂直軸型可動翼風車を設置し回転制御機構を組み込んだ例である。
【産業上の利用可能性】
【０００８】
発電は電力会社のみならず一般の事業所や団体等で行うことが可能になった現在、クリーンなエネルギーを求めて全国各地で風力発電の気運が盛り上がってきた。これまでの大型のプロペラ型風車は建設コストが高すぎ台風等の自然災害に弱く、その点この垂直軸型可動翼風車が時代の主流となり防災・安全システムを導入した回転制御機構付きの風車を導入する事業者は多いと思われる。建設コストが安く保守整備が簡単で、広大な場所を必要とせず風のある限り休みなく発電ができエネルギーという経済価値を生み続け、自然環境に負荷をかけない為産業上普及して当然であり、その為にも強風時に安全に制御できることが必要とされている。
【図面の簡単な説明】
【０００９】
図１は実施例の全体概要図である。
図中１は垂直回転軸、２は垂直回転羽根、３は可動翼、４は可動翼取り付け孔、５はアーム、６は重り、７は制御機構作動スイッチ、８はフック、９は制御モーターである。
【図１】「風車に回転制御機構の組み込みを示した斜視図である。」
【図２】「風車に回転制御機構の組み込みを示した平面図である。」
【図３】「風車に回転制御機構の組み込みを示した側面図である。」
【符号の説明】
【００１０】
１    垂直回転軸
２    垂直回転羽根
３    可動翼
４    可動翼取り付け孔
５    アーム
６    重り
７    制御機構作動スイッチ
８    フック
９    制御モーター
【図１】
2005133550.tif 000003
【図２】
2005133550.tif 000004
【図３】
2005133550.tif 000005
(57)【要約】【課題】  建設工事の丁張り掛けを、簡単迅速低コストで施工することができる丁張り固定具を提供する。【解決手段】  ベースコンクリートに取付けることにより、建設工事における丁張り掛け作業において、丁張板を固定するために、板状の本体に補強のための格子状の縁を設け、釘が打ち付け易いように数箇所の孔を設けたことを特徴とする丁張り固定具を使用する。【選択図】    図１
2005133536.tif 000002
【特許請求の範囲】
【請求項１】
ベースコンクリートに取り付けることにより、建設工事における丁張り掛け作業において、丁張板を固定するために、板状の本体に補強のための格子状の縁を設け、釘が打ち付け易いように数箇所の孔を設けたことを特徴とする丁張り固定具。
【請求項２】
前記丁張り固定具をベースコンクリートに取り付けるにあたり、本体の底部から下方へ、抜け止めの凹凸を設けた角柱又は円柱の脚を数本形成し、この脚部分をベースコンクリートの生コンクリート打設時に埋め込むことで、本体をベースコンクリートに取り付けるものと、本体の底部に格子状の縁を設けた平板を逆Ｔ字形に形成し、この平板部分をベースコンクリートが硬化後、ベースコンクリートにコンクリート釘等で後付けするもので、これにより丁張り固定具がベースコンクリートに固着することで、丁張板を丁張り固定具の本体に釘等で固定することが出来る丁張り固定具。
【発明の詳細な説明】
【技術分野】
【０００１】
本発明は、建設工事における丁張り掛け作業において、丁張り板等を固定するための固定具に関するものである。
【背景技術】
【０００２】
従来の建設工事における丁張り掛けは、地盤に木杭を打ち込み、その木杭に横板を打ち付けて丁張り板等の固定を行っていた。
【特許文献１】実開平５−２０１４号  公報
【特許文献２】特開平１１−２１０００２号  公報
【発明の開示】
【発明が解決しようとする課題】
【０００３】
しかしながら、木杭を打ち込むためには掛け矢やカナテコ等の道具が必要となり、そのため木杭や重い道具類を持ち運び木杭を打ち込まなければならないので、時間と労力がかかっていた。又、工事完了後、木杭等を撤去しなくてはならないので、この時にも時間と労力がかかっていた。
【０００４】
本発明は、このような従来の問題を解決しようとするもので、建設工事における丁張り掛け作業を、簡単迅速に低コストで施工できる丁張り固定具を提供することができる。
【課題を解決するための手段】
【０００５】
本発明は、板状の本体に補強のための格子状の縁を設け、釘が打ち付け易いように数箇所の孔を設けたことを特徴とする丁張り固定具を使用することにより、上記課題を解決したものである。
【発明の効果】
【０００６】
以上のように、請求項１,請求項２記載の発明によれば、建設工事における丁張り掛け作業で、地盤に木杭を打ち込むことなく、丁張り板等の固定を簡単迅速に低コストで施工できる。
【発明を実施するための最良の形態】
【０００７】
本発明の丁張り固定具（先付け）８は、図１に示されるように、格子状の縁２と釘等を打ち込むための孔３を数箇所設けた板状の本体（縦６cm×横10cm×厚さ５mm）１、本体１の底部から下方へ、抜け止めの凹凸４を設けた角柱又は円柱の脚５を形成し、脚５頂部には本体１と丁張り板等を釘等で固定する時の衝撃緩和と、工事完了後に本体１を切り取る時のために、本体１と脚部５を折り曲げ易くするための切り込み６を設けたものと、本発明の丁張り固定具（後付け）９は、図２に示されるように、格子状の縁２と釘等を打ち込むための孔３を数箇所設けた板状の本体（縦６cm×横10cm×厚さ５mm）１、本体１の底部に格子状の縁２を設けた平板（縦６cm×横６cm×厚さ５mm）７を形成した逆Ｔ字形のものである。
【０００８】
建設工事の丁張り掛けにおいて、本発明の丁張り固定具（先付け）８を使用する場合は、コンクリート構造物１０の生コンクリート打設時に、丁張り固定具（先付け）８の脚部５を、丁張りを掛ける位置に埋設する。本発明の丁張り固定具（後付け）９を使用する場合は、コンクリート構造物１０が硬化後、丁張りを掛けたい位置に丁張り固定具（後付け）９の平板７部分を、コンクリート構造物１０にコンクリート釘等１１で固定する。
【０００９】
丁張り固定具（先付け）８又は丁張り固定具（後付け）９の本体１と丁張り板等１２を釘等１３で固定する。
【図面の簡単な説明】
【００１０】
【図１】本発明に係る丁張り固定具（先付け）を示す斜視図である。
【図２】本発明に係る丁張り固定具（後付け）を示す斜視図である。
【図３】実施例（先付け）を示す斜視図である。
【図４】実施例（後付け）を示す斜視図である。
【図５】従来の技術例を示す斜視図である。
【符号の説明】
【００１１】
１・・本体
２・・格子状の縁
３・・孔
４・・凹凸
５・・角柱又は円柱の脚
６・・切り込み
７・・平板
８・・丁張り固定具（先付け）
９・・丁張り固定具（後付け）
１０・・コンクリート構造物
１１・・コンクリート釘等
１２・・丁張板等
１３・・釘等
１４・・木杭
１５・・横板
【図１】
2005133536.tif 000003
【図２】
2005133536.tif 000004
【図３】
2005133536.tif 000005
【図４】
2005133536.tif 000006
【図５】
2005133536.tif 000007
(57)【要約】【課題】  ペルトン水車のニードル開閉操作装置において、ニードル軸の外周とニードル軸保護管との嵌合隙間への土砂の堆積を防止し、その部分が固着してニードルが開閉動作不能となる問題をなくすることを目的とする。【解決手段】  入口曲管１内部の圧力水を導入するノズルパイプ３と、このノズルパイプ３内に設置したニードル４と、このニードル４を保持するニードル軸保護管６と、バランスピストン８が収納されるバランスピストン室１０とを備え、ニードル軸保護管６の一端に第一のパッキン１５を、その他端に第二のパッキン１６をそれぞれ設置するとともに、バランスピストン室１０の下側に接続管１７と、この接続管１７に連通する排砂弁１８とを設置した定期的に手動等により排砂弁１８を開放することによりバランスピストン室１０内の土砂を含んだ水を除去する。【選択図】図１
2005133621.tif 000002
【特許請求の範囲】
【請求項１】
圧力水を導入するノズルパイプと、このノズルパイプ内に設置したニードルと、このニードルを保持するニードル軸保護管と、バランスピストンが収納されるバランスピストン室とを備えたペルトン水車のニードル開閉操作装置において、前記ニードル軸保護管の一端に第一のパッキンを、その他端に第二のパッキンをそれぞれ設置するとともに、前記バランスピストン室の下側に接続管と、この接続管に連通する排砂弁とを設置したことを特徴とするペルトン水車のニードル開閉操作装置。
【発明の詳細な説明】
【技術分野】
【０００１】
本発明は、複数のノズルを備えた横軸型ペルトン水車のニードル開閉操作装置に係り、特にニードルの土砂混入防止装置を備えたペルトン水車のニードル開閉操作装置に関する。
【背景技術】
【０００２】
複数のノズルを備えた横軸型ペルトン水車のニードル開閉操作装置では、ノズルパイプ内へ導かれた河川水を直接取水しているため、河川中の土砂その他の不純物がバランスピストン室に流入し、ニードルが開閉動作不能となる恐れがあった。これを防止するため、例えば、特許文献１に記載のようなペルトン水車ニードルの土砂混入防止装置がある。即ち、バランスピストン室に流入する水を途中に設けたストレーナで土砂を除去して綺麗な水としてバランスピストン室に供給するようにしている。
【０００３】
【特許文献１】特開平５−３２１８１３号公報
【発明の開示】
【発明が解決しようとする課題】
【０００４】
しかしながらストレーナ内に土砂を沈殿させ、完全に排出させることは困難であり、またバランスピストン室内には土砂を含んだ水が残り、僅かずつではあるがニードルに動作不良を起こす恐れがある。
【０００５】
本発明の目的は、バランスピストン室に滞留する土砂に起因するニードルの動作不良を防止することが出来る土砂混入防止装置を備えたペルトン水車のニードル開閉操作装置を提供することにある。
【課題を解決するための手段】
【０００６】
複数のノズルを備えた横軸型ペルトン水車のニードル開閉操作装置において、入口曲管内部の圧力水を導入するノズルパイプと、このノズルパイプ内に設置したニードルと、このニードルを保持するニードル軸保護管と、バランスピストンが収納されるバランスピストン室とを備え、前記ニードル軸保護管の一端に第一のパッキンを、その他端に第二のパッキンをそれぞれ設置するとともに、前記バランスピストン室の下側に接続管と、この接続管に連通する排砂弁とを設置したことを特徴とする。
【発明の効果】
【０００７】
本発明によれば、ニードル軸の外周とニードル軸保護管との嵌合隙間への土砂の堆積を防止し、その部分が固着してニードルが開閉動作不能となる問題をなくすることができる。
【発明を実施するための最良の形態】
【０００８】
図１は本発明のペルトン水車ニードルの土砂混入防止装置を示す一実施例である。
【０００９】
１は入口曲管で、その内部に導入された圧力水はノズルパイプ３で加速され、ジェットとなってランナのバケットに当たり、ランナに回転力を与えた後、放水面に自然落下する。ノズルパイプ３内のニードル４は、調速機と連動するニードルサーボモータにより負荷に応じてノズルパイプ３の出口を開閉操作し、流量を調整する。
【００１０】
接続管９，１１は、バランスピストン室１０と弁胴２とを連通する鉄パイプで、図示の場合には接続管の途中に、水に含まれた土砂を沈殿させておくストレーナ１３を挿入している。これにより、バランスピストン室１０の水圧はノズルパイプ３の水圧より幾分高くなり、バランスピストン室１０内の水はニードル軸５とニードル軸保護管６との隙間を通って流出する。
【００１１】
接続管９の取付け位置、すなわち取水位置は比較的土砂を含むことの少ない、かつ比較的水速の緩やかな導水管の一部または弁胴２より取水する。
【００１２】
バランスピストン８の軸方向移動頻度は、ニードル４による流量調整のため少なく、バランスピストン室１０に出入りする水量は僅かであるから、ストレーナ１３の効果は十分で、かつ水圧は十分保有している。このバランスピストン室１０内の水圧は、前記したようにノズルパイプ３内の圧力より少し高いので、水は常時ニードル軸５の隙間に沿い、ノズルパイプ３内に僅かずつ流出するため、この隙間を通る土砂の侵入を防止することができる。のみならずこの場合、ニードル軸５とニードル軸保護管６との隙間には、前記のように土砂を殆ど含まない水が常に流れているので、ニードル軸５の開閉運動は円滑である。さらにニードル軸５をニードル軸保護管６で覆い、この覆いの一端をバランスピストン室１０に、端端をニードルガイド７にそれぞれ水密的に固着すると、ニードルガイド７の前方は一層圧力が低いから、バランスピストン室１０との圧力差を増加することができ、さらに土砂の侵入防止効果が現れる。１４はストレーナ１３の排砂弁で、定期的に開放して排砂する。
【００１３】
本発明では、ニードル軸保護管６の一端（左端）に設置した第一のパッキン１５と、他端（右端）に設置した第二のパッキン１６により、ニードル軸５の外周とニードル軸保護管６との嵌合隙間への土砂混入を防止する。バランスピストン室の下側に設置した接続管１７に連通する排砂弁１８を例えば、手動で定期的に開放することにより、バランスピストン室１０内の水に含まれている混入土砂を排出する。ニードル軸５の外周とニードル軸保護管６との嵌合隙間を介し、前述したように土砂を含んだバランスピストン室１０内の水はノズルパイプ３内に僅かずつ流出するが、第一のパッキン１５，第二のパッキン１６によって前記嵌合隙間への土砂の侵入が遮断される。したがってニードル軸５とニードル軸保護管６との隙間への土砂の堆積が防止される。ここで第一のパッキン１５，第二のパッキン１６は、弾力性のあるゴム製のＯリング，リップ部分を有したオイルシール，細い合成樹脂繊維で偏組したフィルタ等、任意の素材で構成する。
【図面の簡単な説明】
【００１４】
【図１】本発明のペルトン水車ニードルの土砂混入防止装置を備えたニードルの開閉操作装置を示す図。
【符号の説明】
【００１５】
１…入口曲管、３…ノズルパイプ、４…ニードル、５…ニードル軸、６…ニードル軸保護管、８…バランスピストン、１０…バランスピストン室、１５…第一のパッキン、１６…第二のパッキン、１７…接続管、１８…排砂弁。
【図１】
2005133621.tif 000003
(57)【要約】【課題】本発明は、従来のブロック舗装に対し、簡単に敷き設可能で、ブロックからの水の蒸散を継続させヒートアイランド現象を防止する手段を提供するものである。【解決手段】ブロックを支えるブロック支持台が底部から突出する容器状のブロック挿入部を有するブロック舗装用枠体を敷き設し、ブロック挿入部の底部からブロック台まで毛管現象が働く粒体を充填し、ブロック支持台上には透水性を有するブロックを載置したことを特徴とするブロック舗装である。【選択図】  図1
2005133425.tif 000002
【特許請求の範囲】
【請求項１】
ブロックを支えるブロック支持台が底部から突出する容器状のブロック挿入部を有するブロック舗装用枠体を敷き設し、ブロック挿入部の底部からブロック台まで毛管現象が働く粒体を充填し、ブロック支持台上には透水性を有するブロックを載置したことを特徴とするブロック舗装。
【発明の詳細な説明】
【技術分野】
【０００１】
本発明は、ヒートアイランド防止する効果を持続させる透水性を目的としたブロック舗装を簡単に形成する技術に属する。
【背景技術】
【０００２】
透水性を目的としたブロック舗装はヒートアイランド対策を目的として種々提案され実施されている。その中で特開2003-293303、2001-348802、2001-11803                      などに透水性ブロックを敷き詰める方法が開示されている。
【０００３】
ブロック舗装はブロック相互のかみ合わせを高めて、ブロックを安定させるために、川砂や珪砂を目地砂として使用している。あるいはブロック空間に目地材を注入して舗装用ブロックを一様に固着して形成される。かかる作業は経験と技術を要し誰にでも簡単に実施することは難しい。
【特許文献１】特開2003-293303
【特許文献２】特開2001-348802
【特許文献３】特開2001-11803
【発明の開示】
【発明が解決しようとする課題】
【０００４】
本願発明は、従来のブロック舗装に対し、簡単に敷き設可能でブロックからの水の蒸散を継続させる手段を提供するものである。
【課題を解決するための手段】
【０００５】
本発明は、ブロックを支えるブロック支持台が底部から突出する容器状のブロック挿入部を有するブロック舗装用枠体を敷き設し、ブロック挿入部の底部からブロック台まで毛管現象が働く粒体を充填し、ブロック支持台上には透水性を有するブロックを載置したことを特徴とするブロック舗装である。
【発明の効果】
【０００６】
透水性ブロックの下方に毛細管現象を生じさせる粒体を充填させるため透水性ブロック内に水が補給されるため水の蒸散が持続する。
枠体を敷き設しその枠体内にブロックを載置するだけなので施工が容易である。
【発明を実施するための最良の形態】
【０００７】
以下本発明を図によって、より詳細に説明する。
図１は本発明のブロック舗装の断面図である。図に示すようにブロック舗装用枠体は容器状のブロック挿入部が設けられている。ブロック挿入部にはその底部にブロックを支える支持台が設けられ、その上部に透水性のブロックが載置されている。ブロック挿入部には底部からブロック支持台面まで毛管現象が働く粒体が充填されている。
【０００８】
図2、図3はブロック挿入部を有するブロック舗装用枠体の例を示している。図２に示した枠体は、全体が容器状に形成されてブロック挿入部となっている。その底部にブロックを載置させるための５個のブロック支持台が設けられている。ブロック支持台には図１に示すように透水性ブロックが載置され、底部にはブロック支持台まで毛管現象が働く粒体が充填される。
【０００９】
図３に示すブロック舗装用枠体はその枠体内に4個のブロック挿入部を備えている。各挿入部には各１個のブロック支持台と壁面沿ってブロックを支持する台が張り出している。さらに４個のブロック挿入部とそのブロック間を仕切る間に透水部を設けている。各ブロック挿入部は図２に示すものと同様であり、図１に示す態様で使用される。
【００１０】
図４は、図２に示したブロック舗装用枠体を敷き設した状態を示している。
ブロック舗装用枠体を所定の敷地に敷き詰め、毛管現象が働く粒体をブロック支持台の高さまで充填し、所定の透水性のブロックをブロック挿入部にはめ込むことでブロック舗装が実現できる。透水性のブロックはレンガ、コンクリート、木製品、ゴム製品など透水性を示すように構成されたものならその材質を問わない。
【００１１】
ブロック舗装用枠体の形状および枠体内に設けられるブロック挿入部の個数形状は適宜変更可能であり、挿入部内のブロック支持台の形状も適宜変更可能である。ブロック舗装用枠体の挿入部である枠体を仕切る壁面にブロック係止用の爪を設けたり適宜既存の技術を利用できる。
枠体を敷き設する際の継ぎ手など枠体壁面にオスメスの継ぎ手を設けることもできる。一般的には相接する枠体の２外壁部にオス継ぎ手、他の２外壁部にメス継ぎ手を設けることで前後左右に配設可能である。
【００１２】
ブロック挿入部の底部には、細孔を有する軽石あるいは充填することで充填物の周囲に細隙間を生ずる粒体例えば砂などを充填する。
その上に透水性のブロックを細緻することで、ブロック上に降った雨水は下に浸透しブロック挿入部の底部にたまり、乾燥時には毛細管現象で透水性ブロックにまで上昇し、ブロック内に蓄積され。表面から揮発することでブロックの温度を低下させヒートアイランド現象の緩和に役立つ。
【００１３】
透水性ブロックは既存のブロックが使用可能であり、細孔を内包するものあるいはブロックに適宜小さな孔を穿ったものであっても良い。材質も焼成煉瓦、コンクリート、ゴムなど適宜透水性ブロックを敷き設する場所に応じて変更することができる。
【図面の簡単な説明】
【００１４】
【図１】は、 本発明のブロック舗装の断面を示す一例である。
【図２】は、本発明のブロック舗装に使用するブロック舗装用枠体の第1の例を示す。
【図３】は、本発明のブロック舗装に使用するブロック舗装用枠体の第２の例を示す。
【図４】は、ブロック舗装用枠体を敷き設した状態を示す１例である。
【００１５】
１  ブロック舗装用枠体
２  ブロック挿入部
３  ブロック支持台
４  透水性ブロック
５  毛管現象を示す粒体
【図１】
2005133425.tif 000003
【図２】
2005133425.tif 000004
【図３】
2005133425.tif 000005
【図４】
2005133425.tif 000006
(57)【要約】【課題】袖を完全に取り外す事なく必要に応じてベストと、ジャケットに変更する事の出来る被服を提供する。【解決手段】ベスト時、袖の一部を身頃に装着したまま袖を収納する事で袖の紛失、又ジャケットに変更する時も、左右の袖を取り違う事なく装着する事が出来る事を特徴とする。【選択図】      図１
2005133269.tif 000002
【特許請求の範囲】
【請求項１】
袖を完全に取り外すことなくベストにも成るジャケット。
【発明の詳細な説明】
【発明の詳細な説明】
【技術分野】
【０００１】  この発明は、袖を完全に取り外す事なく必要に応じてベストと、ジャケットに変更する事の出来る被服である。
【背景技術】
【０００２】  従来は、ファスナーや釦などで、袖を完全に取り外す事によりベストに、ファスナーや釦で、袖を装着する事で、ジャケットにも成る被服であった。
【発明が解決しようとする課題】
【０００３】  そのために、次のような欠点があった。
（イ）袖を取り外してしまうと、紛失することがある。
（ロ）ベストからジャケットに変更する際に、左右の袖を取り違えたりする事があって、袖を装着するのに大変手間がかかっていた。
本発明は、これらの欠点を解決するためになされたものである。
【課題を解決するための手段】
【０００４】  ベスト時、袖の一部を身頃に装着したまま袖を収納する事で袖の紛失を、又ジャケットに変更する時も、左右の袖を取り違う事なく素早く装着する事が出来るものである。
【発明を実施するための最良の形態】
【０００５】  以下、本発明の実施の形態について説明する。
ジャケットの時
（イ）袖後側を、後身頃に縫い付ける（図２）〈Ｃ、Ｄ、４〉。前身頃と袖下部分はドット釦で取り付けておく。（図２）〈Ｃ、Ｄ、５、６、７〉
ベストの時
（ロ）左右それぞれの袖に、収納用ドット釦を取り付ける。（図２）〈Ｄ、９〉。
「片側にドット釦雄、片側にドット釦雌、左右どちらでもよい。」
（ハ）前身頃側、袖下部分を取り外し、左右の袖をたたんで後身頃内側のループに収納用ドット釦で、はさんで止める。（図２）〈Ｅ〉【０００６】  本発明の実施の形態では、ジャケットからベストに変える時に、前身頃側、袖下部分をドット釦で取り外し、ドット釦でループにはさんで収納する例で説明したが、前身頃側、袖下部分をファスナー、マジックテープ等も考えられる。
又、収納方法も（図３）〈Ｆ、Ｇ〉等、色々な収納方法も考えられる。
【発明の効果】
【０００７】  この発明は、袖を従来の様に取り外すのではなく、収納出来る事によって従来多発した、取り外した袖の紛失、左右の取付け間違いを無くすものである。
又、尚且つ簡単に収納出来る事によって、突然の天候や、気温の変化にも即座に対応出来るものである。
【図面の簡単な説明】
【図１】  本発明の使用状態を示す説明図である。
【図２】  本発明の製造方法の説明図である。
【図３】  発明の実施の形態で説明したもの以外の仕様図である。
【符号の説明】
Ａ    ジャケット時の正面図
Ｂ    ベスト時の正面図
Ｃ    縫製使用図
Ｄ    左袖の拡大図
Ｅ    袖の収納図
Ｆ    袖の収納図
Ｇ    袖の収納図
１    衿
２    袖
３    ループ
４    袖縫い付け部分
５    ドット釦（雌）取り付け部分
６    ドット釦（雄）取り付け部分
７    ドット釦（雄）
８    ドット釦（雌）
９    収納用ドット釦
１０  裏地
１１  袋状、収納口
１２  ポケット
１３  ファスナー
【図１】
2005133269.tif 000003
【図２】
2005133269.tif 000004
【図３】
2005133269.tif 000005
(57)【要約】      （修正有）【課題】１.軽く通気性に優れていて、固い箇所がまったくない。２.長時間ベールを被っても、ずり落ちない。３.ベールの中の顔がまったく見えない。４.顔にまとわり付かない。５.ベールの裾は、めくれにくくする。以上の機能をもった睡眠用ベールを提供する。【解決手段】１.帽子一体睡眠用ベールは通気性に優れているレース生地だけを用いて作った。２.顔からずり落ちないように、ベールは帽子に縫い付けて、一体化した。３.ベールは、レース生地を２重にしてから多くのひだを作ることによって、ベールの中の顔は外側からはまったく見えない。４.長方形のベールは、両端の下６ｃｍほど残して、縦、横、縦とやや半円を描くようにひだを作りながら帽子に縫い付けることによって、ベールの内側にゆったりとした空間を作った。５.４に示した方法で縫うことによって、ベールの外側は丸く囲いこむような形で突き出ているので、ベールの裾はめくれにくくなった。【選択図】図２
2005133267.tif 000002
【特許請求の範囲】
【請求項１】
観光バス、新幹線、飛行機などの中で眠る場合、周囲の人に無防備な寝顔をまったく見られることなく、安心して眠りたいと願う人のための発明です。カーテンなどに使うレース生地だけで縫った３枚はぎの帽子に、顔を覆うベールを長方形のレース生地を２枚合わせにしてひだを作りながら帽子に縫いつけた、帽子一体型睡眠用ベールです。
【請求項２】
請求項１の長方形のベールは、両端の下６ｃｍほど残して、縦、横、縦と、やや半円を描くようにひだを作りながら帽子に縫い付けることによって、ベールの２箇所の角は、角のように外側に突き出て、ひだの広がりと相まってベールの外側は丸く囲い込むような形でふくらみが突き出るので、ベールの内側はゆったりとした空間ができる。
【発明の詳細な説明】
【技術分野】
【０００１】本発明は、観光バス、新幹線、飛行機などの中で眠る場合、「周囲の人に自分の無防備な寝顔を隠して、安心して眠りたい」と願っている人のために発明したものである。
【背景技術】
【０００２】従来の発明に関連するものとして、『居眠り口開き隠し、よだれ流れ止めエチケットマスク』がある。
【特許文献１】特開２００２−１０２３７０号公報（第３頁、図１）
【発明の開示】
【発明が解決しようとする課題】
【０００３】▲１▼軽く、通気性に優れていて、硬い箇所がまったく無い。
▲２▼長時間ベールを被っても、どんな動きをしても全くずり落ちない。
▲３▼周囲の人が近くで見ても、ベールの中の顔が全く見えない。
▲４▼顔とベールの間にゆったりとした空間とふくらみを作り、顔にまとわり付かない。
▲５▼ベールの裾は、めくれにくくする事。
本発明は、これら▲１▼〜▲５▼の課題を解決するために研究を重ねた。
【課題を解決するための手段】
【０００４】▲１▼帽子とベールの素材は、通気性に優れ、肌にも優しい、カーテン等に使用されている、レース生地だけを使用。
▲２▼長時間使用しても、顔からずり落ちないように、ベールは帽子に縫い付けて、一体化した。
▲３▼ベールは、レース生地を２重にしてからひだを寄せることによって、ベールの中の顔は、外側からは近くで見ても、全く見えない。
▲４▼長方形のベールは、両端の下６ｃｍ程残して、縦、横、縦とやや半円を描くように、ひだを作りながら帽子に縫い付けることによって、ベールの内側にゆったりとした空間、ふくらみを作った。
▲５▼▲４▼に示した方法によって、ベールの外側は、丸く囲いこむような形で突き出ているので、そのふくらみが支えとなって、ベールの裾はめくれにくくなった。
【発明の効果】
【０００５】これまでは、寝顔を隠したい時の方法として、すぐずり落ちてしまう布類を顔に掛けたり、マスクの使用は眠る時は息苦しく、眠りの妨げとなり、また、気温の高い日や夏には暑苦しくて使えませんでした。本発明は、それらの問題点をすべて解決したのである。
通気性に優れているレース生地だけを使用して、ベールを帽子に縫い付けて、一体化させることによって、どんなに動いてもずり落ちないようにした。ベールは生地が２枚合わせなので、ベールの中の顔は近くで見てもまったく見えないので、寝顔を見られることなく、安心して眠れる。
顔とベールの間には、ゆったりとした空間ができるように、工夫をこらした方法で縫ってあるので、ベールは顔にまとわり付かず、前にふくらんだ空間は、気分をゆったりさせる。
【発明を実施するための最良の形態】
【０００６】車、観光バス、新幹線、飛行機の中で眠る時、無防備でだらしない寝顔を周囲の人に見られたくない場合、眠りたくても眠れない経験がある人は、数知れません。特に、女性は羞恥心が強いです。そのような時、小さくたためて、携帯にも便利な帽子一体睡眠用ベールを被り、帽子の後ろの延長線に出ている紐を軽く結ぶだけで、無防備な寝顔を周囲の人に見られないので、いつでも安心して眠れます。
【図面の簡単な説明】
【０００７】
【図１】この発明の実施例図の正面図である。
【図２】この発明の実施例図の側面図である。
【図３】この発明の実施例図の背面図である。
【符号の説明】
【０００８】１  ３枚はぎの帽子
２  ２枚合わせにしたベール
３  帽子の延長線に出ている紐
【図１】
2005133267.tif 000003
【図２】
2005133267.tif 000004
【図３】
2005133267.tif 000005
(57)【要約】【課題】  便器のボウル部を積極的に暖めて防露の能力を高めることができると共に、断熱材を貼着する接着剤を養生するのに時間がかかったりすることなくて生産性が良い防露便器を提供する。【解決手段】  温水洗浄装置１を備えた便器２の結露を防止する防露便器であって、便器２のボウル部２１外面に温水流路３１を有する防露手段３を設けると共に温水洗浄装置１の温水タンク１１と前記防露手段３とを温水路４で連結した。【選択図】      図１
2005133295.tif 000002
【特許請求の範囲】
【請求項１】
温水洗浄装置を備えた便器の結露を防止する防露便器であって、便器のボウル部外面に温水流路を有する防露手段を設けると共に、温水洗浄装置の温水タンクと前記防露手段とを温水路で連結して成ることを特徴とする防露便器。
【請求項２】
防露手段は可撓性を有するシートに温水ホースを設けて形成されるとともに、前記防露手段のシートをボウル部外面に接着剤又は粘着テープにて貼着して成ることを特徴とする請求項１記載の防露便器。
【発明の詳細な説明】
【技術分野】
【０００１】
温水洗浄装置を備えた便器の結露を防止する防露便器に関するものである。
【背景技術】
【０００２】
従来より、便器の結露を防止するのに便器のボウル部の外面に断熱材を設けたものがよく用いられている（例えば特許文献１参照）。この従来のものは、断熱材を接着剤によって便器のボウル部の外面に貼着するもので、接着剤としては通常はシリコンからなるものを用いていた。
【０００３】
しかしながら、このようなものにあっては、断熱材によって便器のボウル部の外面が冷え過ぎないようにするにすぎず、積極的に暖めるものではないため防露の能力を一定以上に高めることができないものであり、また、断熱材を貼着するためのシリコンからなる接着剤を養生するのに時間がかかってしまい、生産性が悪いものであった。
【特許文献１】実開平７−４５７８号公報
【発明の開示】
【発明が解決しようとする課題】
【０００４】
本発明はこのような点に鑑みてなされたものであり、その目的とするところは、便器のボウル部を積極的に暖めて防露の能力を高めることができると共に、断熱材を貼着する接着剤を養生するのに時間がかかったりすることなくて生産性が良い防露便器を提供することを課題とする。
【課題を解決するための手段】
【０００５】
上記課題を解決するために請求項１の発明は、温水洗浄装置１を備えた便器２の結露を防止する防露便器であって、便器２のボウル部２１外面に温水流路３１を有する防露手段３を設けると共に温水洗浄装置１の温水タンク１１と前記防露手段３とを温水路４で連結して成ることを特徴とするものである。このような構成とすることで、便器２のボウル部２１における防露の能力を断熱材を用いたものと比べて高めることができると共に、接着剤によって断熱材を貼着するもののように養生に時間がかかって生産性が悪いといったことがない。
【０００６】
また、請求項２の発明は、請求項１の発明において、防露手段３は可撓性を有するシート３０に温水ホース３１ａを設けて形成されるとともに、前記防露手段３のシート３０をボウル部２１外面に接着剤又は粘着テープにて貼着して成ることを特徴とするものである。このような構成とすることで、シート３０に温水ホース３１ａを設けるだけで防露の能力の高い防露手段を形成することが可能となる。
【発明の効果】
【０００７】
本発明にあっては、便器のボウル部における防露の能力を断熱材を用いたものと比べて高めることができると共に、接着剤によって断熱材を貼着するもののように養生に時間がかかって生産性が悪いといったことがない。
【発明を実施するための最良の形態】
【０００８】
以下、本発明を添付図面に示す実施形態に基いて説明する。まず水洗用の便器について説明する。便器２にはボウル部２１が設けられており、ボウル部２１の底部後方には排出管２３が設けられている。この排出管２３は、蛇腹状の可撓性パイプで形成されており、その先端からボウル部２１内の水が排出部２４へと排出される。また、このボウル部２１の底部には水溜まり部２２が形成してあり、便器２の不使用時にもこの水溜まり部２２に水が溜まっている。
【０００９】
また、この便器２には後部上端面に人体局部を洗浄するための温水洗浄装置１が備えてある。温水洗浄装置１本体内には温水タンク１１が設けてあると共に、温水洗浄装置１本体からは人体局部洗浄用のノズル（図示せず）が突没自在に設けてあり、温水タンク１１内の温水をノズルにて人体局部に噴射する。そして、本発明においては、この温水タンク１１内の温水を利用して便器２に結露が発生するのを防止するものである。
【００１０】
便器２のボウル部２１の外面２１ａ、特に水溜まり部２２の外面に、内部に温水流路３１を有する防露手段３を設けてある。本実施形態では、防露手段３は可撓性を有するシート３０に温水流路３１としての温水ホース３１ａを蛇行して設け、このシート３０からなる防露手段３を便器２のボウル部２１の外面２１ａに接着剤又は粘着テープにて貼着してある。防露手段３の温水流路３１の両端部には、それぞれ温水タンク１１からの往路、復路からなる温水路４が連結してある。
【００１１】
このものにおいては、温水タンク１１から適宜、温水路４を介して防露手段３に温水を送るため、便器２のボウル部２１の外面２１ａ、特に水溜まり部２２の外面が防露手段３のシート３０に貼着して設けてある温水流路３１としての温水ホース３１ａ内を流れる温水によって暖められ、結露されるのが防止される。これは、断熱材を用いただけの従来のものと比べて防露性能に優れるとともに、製造にあたっても断熱材を貼着するシリコン等からなる接着剤を養生する必要がなく、生産性がよいものである。
【図面の簡単な説明】
【００１２】
【図１】本発明の一実施形態の一部切欠側面図である。
【図２】同上の要部斜視図である。
【図３】他の実施形態の要部斜視図である。
【符号の説明】
【００１３】
１      温水洗浄装置
１１    温水タンク
２      便器
２１    ボウル部
２１ａ  外面
３ 防露手段
３１    温水流路
４ 温水路
【図１】
2005133295.tif 000003
【図２】
2005133295.tif 000004
【図３】
2005133295.tif 000005
(57)【要約】【課題】  嵩上げ護岸構造物を自然景観と調和するようにし、また構造物自体の厚さを薄くする。【解決手段】  嵩上げ護岸構造物の形状を波形とすることで同じ水平方向耐荷重を考慮しても構造物自体の厚みを薄くでき、また波形の曲線美が山河や海洋の曲線イメージと調和する。【選択図】  図１
2005133291.tif 000002
【特許請求の範囲】
【請求項１】
波形のプレキャスト嵩上げ（パラペット）護岸構造物用ブロック。
【請求項２】
波形の現場制作嵩上げ（パラペット）護岸構造物。
【発明の詳細な説明】
【技術分野】
【０００１】
本発明は河川や海岸の水圧や波荷重に対する護岸機能と自動車や群集の衝突荷重を支える機能を併せ持ったもので、嵩上げ護岸構造物として使用する。
【背景技術】
【０００２】
従来の嵩上げ護岸構造物では、コンクリート構造物で直線的な形状をなしている。景観面では山河や海岸などの曲線のある自然景観からはかけ離れた人工的な景観となっている。
【０００３】
従来の嵩上げ護岸構造物では直線的な構造をなしているので、構造物にかかる荷重に耐えるために構造物本体の厚さが厚くなっている。
【発明の開示】
【発明が解決しようとする課題】
【０００４】
水圧や波荷重・衝突荷重を支える嵩上げ護岸構造物としてその厚さを薄くする。
【０００５】
景観面でも自然景観と調和するよう工夫する。
【課題を解決するための手段】
【０００６】
同じ水平方向の荷重に耐えられるように設計した場合でも、構造物の形状を波形として、その構造物の厚さを薄くする。また、波形嵩上げ構造物は蛇行する河川の特性や海岸線や波の曲線イメージとも調和し、自然的なやさしいイメージとなる。この構造物を構成するブロックは事前に工場などの設備で製造される。
【０００７】
上記と同様の波形嵩上げ護岸構造物を現場で型枠を組み、その中に打設後硬化する物質を投入して築造する。
【発明の効果】
【０００８】
山河・海洋の曲線美と調和する波形嵩上げ構造物は、景観イメージがやさしくなる。
【０００９】
波形嵩上げ護岸構造物は同じ耐荷重を考慮したときに構造物自体の厚みを薄くすることが可能となるので余ったスペースが有効に活用できる。また構造物からの圧迫感が軽減される。
【発明を実施するための最良の形態】
【００１０】
本発明は図を持って説明する。
【００１１】
地盤及び護岸構造物Bの上部に波形嵩上げ護岸構造物Aを築造する。
【００１２】
本発明の波形嵩上げ護岸構造物は工場で事前に製造されたブロックを現場で施工したり、施工現場で方枠を組み、その中に硬化する物質を流し込んで築造したりもする。
【００１３】
嵩上げ護岸構造物を直線形状から波形とすることで、同じ耐荷重を考慮して設計した場合では構造物自体の厚さが薄くなる。このときの考慮する主な荷重は水平荷重に換算される水圧、自動車及び群集の衝突荷重、波荷重などである。
【００１４】
構造物自体の厚さが薄くなったことで生じるスペースを植栽したり物を置くなどの用途で有効活用が可能となる。
【００１５】
本発明による波形嵩上げ護岸構造物は山河・海岸の曲線美と調和する。従来の直線的で厚みのある圧迫感を受ける構造物とは景観を異にする。
【００１６】
本発明による波形嵩上げ護岸構造物はブロックとして事前に工場で製造されたり、施工現場で型枠を組みその中に硬化する物質を流し込んで築造したりする。
【図面の簡単な説明】
【００１７】
【図１】本発明による波形嵩上げ護岸構造物
【符号の説明】
【００１８】
A波形嵩上げ護岸構造物
B地盤や基礎となる護岸構造物
【図１】
2005133291.tif 000003
(57)【要約】      （修正有）【課題】自然界のエネルギーを使わず自然保護になり動き続ける駆動装置を提供する。【解決手段】高比重箇所１１を設けた可動リング６を慣性塊１２からなる振動軸３にスライド可能に固定する。電気シャフト１が振動軸を円を描く様に揺らす。振動軸に中心を外した位置に設けられている慣性塊は、振動軸を中心に回転するが回転数が上がるにつれ自らを中心に回転する。可動リングは、振動軸の周囲を回転する。その際高比重箇所１１は基盤に設けたレールに沿いながら動くそのレールは、一筆で楕円形と円を描いた様になっている。楕円形の左辺から頂点に向かう高比重箇所は可動リングの遠心力を受け与えられながら動く。その際に、直線での慣性が働く、この際、遠心力は、最大な衝撃力となり装置自体を駆動させる力に変化する。【選択図】図３
2005133728.tif 000002
【特許請求の範囲】
【請求項１】
電気シャフトで振動軸を円描くように収縮させる事により、慣性塊からなる振動軸と（振動軸は芯にローラーベアリングを縦２列に配列させ縦２列の間にはフックが設けられ軸に対して横方向に回転可能である）
振動軸に固定具（固定金具にもローラーベアリングが設けられていて振動軸に対して横方向自由に回転する）で離れなくされた
高比重箇所を設けた可動リングが回転し、慣性塊は、振動軸を中心に回転するが回点数が増すと自らを中心に回転し振動軸を振動させる、可動リングは、（可動リングは、内側に窪みがあり高比重箇所の位置にストッパーを設けてある）振動軸を中心に回転し高比重箇所は、遠心力により外側に振り出される力がかかる、  高比重箇所には、可動リングに軸で固定されているが軸と高比重箇所は、軸を中心に横側の全方向に動き、動けば戻るようになっている
それに下側にツメが設けられていてレール基盤により動く範囲決められている
レールは、溝の形状に一筆で楕円形と円形を描いたような形である
遠心力で振り出された高比重箇所はレール基盤の円形部分から楕円形部分に向かい楕円形の左辺から頂点に向かい、頂点に来て、楕円形の右辺下に送られる下側に送られた高比重箇所は可動リング全体を回転させるように円に沿い回転してから楕円形の頂点に向かう動きを繰り返す、この直線運動の行き来や回転時の遠心力より振動軸に振動を与えるので慣性塊に回転を与える仕組みになるので電気シャフトの電力を切っても回転し続ける、回転を止めるには、振動軸内のフックを出すと可動リングにある高比重箇所の内側にあるストッパーに引っ掛かるストッパーは高比重箇所のツメと連動するのでツメが高比重箇所の内に入り込む事で振動軸の周囲を高比重箇所が回転しながら止まる
以上の事を特徴としたエネルギーを必要としない駆動装置
【発明の詳細な説明】
【技術分野】
【０００１】本考案は、回転運動に差動運動をとりいれ振動ならび慣性それに衝撃力を利用した燃料を必要としない駆動装置である。
【背景技術】
【０００２】全ての動力においてエネルギーは、必要であった、そのエネルギーは自然界から採取する必要があり無限ではない。
【発明の開示】
【発明が解決しようとする課題】
【０００３】自然界のエネルギーを必要としないため自然保護になり更に電力の場合原子力のような危険がない。
【課題を解決するための手段】
【０００４】本考案は、回転運動に差動運動を取り入れ振動ならび慣性それに衝撃力を利用してそれぞれの力が力を与え合いながら駆動し続ける事を特徴とする。
【発明の効果】
【０００５】本考案は、動かす最初のエネルギーだけで駆動を続ける
そのエネルギーも本考案の装置を円形に配列して円周上に出力する事で容易に回転力を得られるので発電機に出力すれば発電可能であるので電力を充電池に蓄えればエネルギーは、一切必要としない利点がある。
【発明を実施するための最良の形態】
【０００６】回転運動内に差動運動（この差動運動は、一筆で楕円形の中に円描いたように動く）を取り入れその差動運動により直線での慣性や曲線での遠心力と慣性その際に発生するので衝撃力などで装置自体を駆動させ、振動軸にかかる圧力変化で慣性塊を回転させるなどそれぞれの力のバランスで永久に駆動させる事である。
【実施例】
【０００７】図１は、本考案の差動運転を表した図である
楕円形の中に円描いた様にレールが設けてありこのレールに沿いながら可動リングからなる高比重箇所が動く動きの変化や遠心力の変化で衝撃力を発生させると共に駆動力になる。
【産業上の利用可能性】
【０００８】全ての電力及び動力に適用可能である。
【図面の簡単な説明】
【０００９】
【図１】本考案の回転運動と差動運転を示した実施図
【図２】本考案の縦面図
【図３】本考案の一部を除いた横面図
【符号の説明】
【００１０】１、      電気シャフト
２、      振動カバー
３、      振動軸
４、      フック
５、      固定体
６、      可動リング
７、      ストッパー
８、      高比重箇所
９、      軸
１０、    ツメ
１１、    レール基盤
１２、    慣性塊
【図１】
2005133728.tif 000003
【図２】
2005133728.tif 000004
【図３】
2005133728.tif 000005